(57)【要約】      （修正有）【課題】ボールが当たった際に方向が変わることや足に引っ掛かることがない形状でありながら、サッカー場の芝の上等に置いた際においても滑りにくく、風で飛ばされにくいスポーツ用マーカーを提供する。【解決手段】上面又は下面となる一対の円形表面２Ａ，２Ｂとこれら円形表面２Ａ，２Ｂの外周を繋ぐ端面３を有する円盤状の形態をなし、円形表面２Ａ，２Ｂに周方向に延びる凸条４，４，…を形成したスポーツ用マーカー１をシリコーンゴムの成形品とし、最小肉厚ｔｍｉｎを２ｍｍ以上とし、最大肉厚ｔｍａｘを４ｍｍ以下とした。【選択図】図２
0003176763.tif 000002
【実用新案登録請求の範囲】
【請求項１】
スポーツのトレーニング等に用いるマーカーであって、
上面又は下面となる一対の円形表面とこれら円形表面の外周を繋ぐ端面を有する円盤状の形態をなし、前記一対の円形表面の少なくともどちらかに周方向に延びる凸条を形成してなることを特徴とするスポーツ用マーカー。
【請求項２】
シリコーンゴムの成形品である請求項１記載のスポーツ用マーカー。
【請求項３】
最小肉厚を２ｍｍ以上とし、最大肉厚を４ｍｍ以下としてなる請求項１又は２記載のスポーツ用マーカー。
【請求項４】
前記一対の円形表面の一方の色と他方の色を異ならせてなる請求項１〜３の何れか１項に記載のスポーツ用マーカー。
【請求項５】
前記端面に近い位置に前記一対の円形表面間に連通する把持用穴を形成してなる請求項１〜４の何れか１項に記載のスポーツ用マーカー。
【考案の詳細な説明】
【技術分野】
【０００１】
本考案は、スポーツのトレーニング等のためにグランドや体育館等で用いるマーカーに関し、さらに詳しくは、グラウンド面や床面から突出しないように円盤状に形成したマーカーに関するものである。
【背景技術】
【０００２】
スポーツにおけるアジリティトレーニング並びにサッカー等の球技スポーツにおけるパス練習及び戦術確認等の際に用いられるスポーツ用マーカーとして、円錐状、円錐台状又は皿ばね状に形成されたマーカーコーン（例えば、特許文献１及び２参照。）や、平坦な表面を有する円盤状に形成されたフラットマーカーがある。
これらのスポーツ用マーカーは、グラウンドや体育館等で行われるトレーニング等の際に多数用いられるものであるため、保管及び運搬の容易化並びに低価格化の必要性から、ポリエチレン（ＰＥ）又はポリ塩化ビニル（ＰＶＣ）等の樹脂材料により比較的薄肉に形成されている軽量のものである。
【先行技術文献】
【特許文献】
【０００３】
【特許文献１】特開平１１−９３１２２号公報（図１参照。）
【特許文献２】登録実用新案第３０３７４７８号公報（図１参照。）
【考案の概要】
【考案が解決しようとする課題】
【０００４】
以上のような従来のスポーツ用マーカーにおいて、前記マーカーコーンは、円錐状、円錐台状又は皿ばね状であることから、グラウンド面や床面から突出する高さが比較的高い形状であるため、例えばパスの目印として用いた際に当たったボールの方向が変わってしまうことや足に引っ掛かることがあること等から、適切な練習を行うことができない場合がある。
その上、前記マーカーコーンは、グラウンド面や床面から突出する高さが比較的高い形状でありながら軽量であるため、風で倒れたり、風で飛ばされて位置が変わってしまう場合もある。
【０００５】
また、前記フラットマーカーは、グラウンド面や床面から突出しない形状であるため、ボールが当たった際に方向が変わることや足に引っ掛かることがない。
しかしながら、前記フラットマーカーは、表面が平坦で滑らかであることから、特にサッカー場の芝の上等に置いた際に比較的滑りやすいものである。
その上、前記フラットマーカーは、前記樹脂材料により比較的薄肉（例えば、１ｍｍ以下）に形成されていることから、平面の保形性が悪く反った状態になっているものが多く、重量も１個当たりの重量が３０〜５０ｇ程度であるため、風で飛ばされる場合がある。
【０００６】
そこで、本考案が前述の状況に鑑み、解決しようとするところは、従来のフラットマーカーと同様にボールが当たった際に方向が変わることや足に引っ掛かることがない形状でありながら、サッカー場の芝の上等に置いた際においても滑りにくく、風で飛ばされにくいスポーツ用マーカーを提供する点にある。
【課題を解決するための手段】
【０００７】
本考案に係るスポーツ用マーカーは、前記課題解決のために、スポーツのトレーニング等に用いるマーカーであって、上面又は下面となる一対の円形表面とこれら円形表面の外周を繋ぐ端面を有する円盤状の形態をなし、前記一対の円形表面の少なくともどちらかに周方向に延びる凸条を形成してなることを特徴とする。
【０００８】
このような構成によれば、円盤状の形態をなしていることから、ボールが当たった際に方向が変わることや足に引っ掛かることがない。
その上、周方向に延びる凸条が形成された円形表面を例えばサッカー場の芝に接するように置いた状態で風力が作用した場合において、周方向に延びる凸条に芝が引っ掛かることから径方向へ移動しにくいため、一旦配置した位置から風により不意に移動されにくい。
その上さらに、周方向に延びる凸条が形成されていることから、降雨の際や積雪等の際にも滑りにくく、このような環境における使用にも好適である。
【０００９】
ここで、スポーツ用マーカーをシリコーンゴムの成形品とすると好ましい。
このような構成によれば、スポーツ用マーカーが軟質であるシリコーンゴムにより円盤状に成形されているので、配置された位置でグラウンド面や床面に添って安定する。
その上、耐熱性が高いシリコーンゴムにより成形されているので、使用環境の温度の幅が大きい場合（例えば、人工芝のサッカー場では、夏場に人工芝の表面温度が７０℃近くになることがあるとともに、冬場には前記表面温度が氷点下になることがある。）であっても硬化したり劣化することがなく、このような環境下での使用に好適であるとともに、シリコーンゴムは耐候性も高いので、特に屋外スポーツにおける使用に好適である。
その上さらに、シリコーンゴムによる成形により、寸法精度がよくなるとともにゲート痕や反り等の発生がない綺麗な外観に成形することができ、汚れにくく汚れても汚れを落としやすいため、長期間にわたって良好な外観品質を保つことができる。
【００１０】
また、スポーツ用マーカーの最小肉厚を２ｍｍ以上とし、最大肉厚を４ｍｍ以下としてなると好ましい。
このような構成によれば、従来のフラットマーカーと同様の１５０ｍｍ〜２５０ｍｍ程度の直径で、最小肉厚を２ｍｍ以上とし、最大肉厚を４ｍｍ以下とすることにより、重量を１００ｇ〜２００ｇ程度に比較的重くすることができるため、さらに風で飛ばされにくくなるとともに、肉厚が厚くなり過ぎて邪魔になることがない。
その上、特に、シリコーンゴム製のものでは、低密度ポリエチレン等と比較して比重が大きいため、比較的大きい重量としながら厚さを薄くすることができる。
【００１１】
さらに、スポーツ用マーカーの前記一対の円形表面の一方の色と他方の色を異ならせてなると好ましい。
このような構成によれば、一対の円形表面のどちらかを選択することにより、配置された状態で目視されるスポーツ用マーカーの色が変わるとともに、裏返すことにより容易に色を変更することができるので、特に球技スポーツにおけるパス練習や戦術確認等の際において、色を使い分けてターゲットやルート等の区別をする用途に好適である。
その上、特に、シリコーンゴム製のものでは、着色性がよいため顔料を原料に添加して容易に着色することができ、接着性もよいため色を変えた同一形状のもの２枚を背面合わせで貼り合わせることにより、一対の円形表面の一方の色と他方の色を異ならせたスポーツ用マーカーにすることができる。
【００１２】
さらにまた、スポーツ用マーカーの前記端面に近い位置に前記一対の円形表面間に連通する把持用穴を形成してなると好ましい。
このような構成によれば、多数のスポーツ用マーカーをグラウンド面や床面に配置する配置作業及び配置したスポーツ用マーカーを回収する回収作業を行う際に、端面に近い位置に形成された把持用穴に指を入れて多くのスポーツ用マーカーを持つことができるため、配置作業及び回収作業の効率化を図ることができる。
【考案の効果】
【００１３】
以上のように、本考案に係るスポーツ用マーカーによれば、（ア）円盤状の形態をなしていることから、ボールが当たった際に方向が変わることや足に引っ掛かることがないこと、（イ）円形表面に周方向に延びる凸条が形成されていることから、サッカー場の芝の上等に置いた際に一旦配置した位置から風により不意に移動されにくく、降雨の際や積雪等の際にも滑りにくいこと、（ウ）シリコーンゴムの成形品にすることにより、耐熱性及び耐候性が高いことから、屋外スポーツ用として好適であること、（エ）最小肉厚を２ｍｍ以上とし、最大肉厚を４ｍｍ以下とすることにより、邪魔にならない形状で重量を比較的重くしてさらに風により不意に移動されにくくすることができること、（オ）一対の円形表面の一方の色と他方の色を異ならせることにより、色を使い分けてターゲットやルート等の区別をする用途に好適であること、（カ）端面に近い位置に把持用穴を形成することにより、多数のスポーツ用マーカーの配置作業及び回収作業の効率化を図ることができること、等の顕著な効果を奏する。
【図面の簡単な説明】
【００１４】
【図１】本考案の実施の形態１に係るスポーツ用マーカーの斜視図である。
【図２】同じく（ａ）は平面図、（ｂ）は（ａ）の矢視Ａ−Ａ断面図である。
【図３】サッカー場の芝の上に置いた状態を示す拡大断面図である。
【図４】本考案の実施の形態２に係るスポーツ用マーカーの斜視図である。
【図５】同じく（ａ）は平面図、（ｂ）は（ａ）の矢視Ｂ−Ｂ断面図である。
【考案を実施するための形態】
【００１５】
次に本考案の実施の形態を添付図面に基づき詳細に説明するが、本考案は、添付図面に示された形態に限定されず実用新案登録請求の範囲に記載の要件を満たす実施形態の全てを含むものである。
本考案に係るスポーツ用マーカーは、スポーツにおけるアジリティトレーニング並びに球技スポーツにおけるパス練習及び戦術確認等の際に用いられ、グランド面や床面に配置して目印にするものであり、円盤状の形態であることから、ボールが当たった際に方向が変わることや足に引っ掛かることがないものである。
以下の実施の形態においては、本考案に係るスポーツ用マーカーをサッカー場の芝（天然芝又は人工芝）上に配置する場合について説明する。
【００１６】
（実施の形態１）
図１の斜視図、図２（ａ）の平面図及び図２（ｂ）の断面図に示すように、本考案の実施の形態１に係るスポーツ用マーカー１は、上面又は下面となる一対の円形表面２Ａ，２Ｂとこれら円形表面２Ａ，２Ｂの外周を繋ぐ端面３を有する円盤状の形態をなし、円形表面２Ａ，２Ｂには、周方向に延びる凸条４，４，…が径方向に離間するように形成されており、径方向で隣り合う凸条４，４の間には溝部６が形成され、端面３に近い位置には、一対の円形表面２Ａ，２Ｂ間に連通する把持用穴５が形成される。なお、本実施の形態では、凸条４の径方向縦断面形状を矩形状としている。
【００１７】
また、図２（ａ）に示すスポーツ用マーカー１の外径Ｄは１５０ｍｍ〜２５０ｍｍ程度であり、図２（ｂ）に示す最小肉厚ｔｍｉｎは２ｍｍ以上、図２（ｂ）に示す最大肉厚ｔｍａｘは４ｍｍ以下である。
このように、従来のフラットマーカーと同様に直径Ｄを１５０ｍｍ〜２５０ｍｍ程度とし、最小肉厚ｔｍｉｎを２ｍｍ以上とし、最大肉厚ｔｍａｘを４ｍｍ以下とすることにより、重量を１００ｇ〜２００ｇ程度に比較的重くすることができるため、風で飛ばされにくくなるとともに、肉厚が厚くなり過ぎて邪魔になることがない。
【００１８】
このようなスポーツ用マーカー１は、例えばシリコーンゴムの一体成形品であり、耐熱性及び耐候性等の特徴並びに原料コストから、特にサッカー等の屋外スポーツ用としてはシリコーンゴム製とするのが好ましいが、使用する環境によってはウレタンゴム又はニトリルゴム等の他の合成ゴム等により成形してもよい。
スポーツ用マーカー１をシリコーンゴム製とすることにより、低密度ポリエチレン等と比較して比重が大きいため、比較的大きい重量としながら厚さを薄くすることができる。
また、スポーツ用マーカー１が軟質であるシリコーンゴムにより円盤状に成形されているので、配置された位置でグラウンド面（例えば、図３の芝Ｇ参照。）に添って安定する。
【００１９】
さらに、スポーツ用マーカー１が耐熱性が高いシリコーンゴムにより成形されているので、使用環境の温度の幅が大きい場合（例えば、人工芝のサッカー場では、夏場に人工芝の表面温度が７０℃近くになることがあるとともに、冬場には前記表面温度が氷点下になることがある。）であっても硬化したり劣化することがなく、このような環境下での使用に好適であるとともに、シリコーンゴムは耐候性も高いので、特に屋外スポーツにおける使用に好適である。
さらにまた、シリコーンゴムによる成形により、寸法精度がよくなるとともにゲート痕や反り等の発生がない綺麗な外観に成形することができ、汚れにくく汚れても汚れを落としやすいため、長期間にわたって良好な外観品質を保つことができる。
【００２０】
図３の拡大断面図に示すように、サッカー場の芝Ｇに接するようにスポーツ用マーカー１を置いた状態で、スポーツ用マーカー１を径方向へ移動させる方向へ風力が作用した場合において、スポーツ用マーカー１には周方向に延びる凸条４，４，…が形成されるとともに、径方向で隣り合う凸条４，４の間には溝部６が形成されているので、径方向へ離間する凸条４，４，…に芝Ｇが引っ掛かることから径方向へ移動しにくい。
したがって、スポーツ用マーカー１は、一旦配置した位置から風により不意に移動されにくい。
また、周方向に延びる凸条４，４，…が形成されていることから、降雨の際や積雪等の際にも滑りにくく、このような環境における使用にも好適である。
【００２１】
さらに、多数のスポーツ用マーカー１，１，…をグラウンド面（芝Ｇ）に配置する配置作業を行う際に、端面３に近い位置に形成された把持用穴５に指を入れて多くのスポーツ用マーカー１，１，…を持つことができるため、前記配置作業の効率化及び配置した多数のスポーツ用マーカー１，１，…を回収する回収作業の効率化を図ることができる。
【００２２】
（実施の形態２）
図４の斜視図、図５（ａ）の平面図及び図５（ｂ）の断面図に示すように、本考案の実施の形態２に係るスポーツ用マーカー１は、２枚の同一形状の円盤状シートを背面合わせで貼り合わせて製造したものであり、円形表面２Ａ，２Ｂを異なる色に着色している。
なお、実施の形態１と同一符号は同一又は相当部分を示しているため、実施の形態１と同一符号についての詳細説明は省略する。
【００２３】
スポーツ用マーカー１をシリコーンゴムの成形品とすることにより、シリコーンゴムは着色性がよいため顔料を原料に添加して容易に着色することができ、接着性もよいため、色を変えた同一形状のもの２枚を背面合わせで容易に貼り合わせて、一対の円形表面２Ａ，２Ｂを異なる色に着色したスポーツ用マーカー１にすることができる。
このように一対の円形表面２Ａ，２Ｂの一方の色と他方の色を異ならせることにより、一対の円形表面２Ａ，２Ｂのどちらかを選択することにより、配置された状態で目視されるスポーツ用マーカー１の色が変わるとともに、スポーツ用マーカー１を裏返すことにより容易に色を変更することができるので、特にサッカー等の球技スポーツにおけるパス練習や戦術確認等の際において、色を使い分けてターゲットやルート等の区別をする用途に好適である。
【００２４】
なお、実施の形態１のようなスポーツ用マーカー１を一体成形する場合であっても、成形後に表面に着色することにより、円形表面２Ａ，２Ｂの一方の色と他方の色を異ならせるようにすることができる。
また、円形表面２Ａ，２Ｂの一部又は全部に蛍光塗料を塗布することにより、夜間における練習の目印とする場合に好適である。
【００２５】
以上の説明においては、スポーツ用マーカー１の両面（一対の円形表面２Ａ，２Ｂの両方）に周方向に延びる凸条を形成する場合を示したが、スポーツ用マーカー１の片面（一対の円形表面２Ａ，２Ｂの一方）のみに凸条を形成してもよい。
また、凸条の形状は、その径方向縦断面が矩形状であるものの他、その径方向縦断面が台形状、三角形状又は円弧状等であってもよい。
【符号の説明】
【００２６】
１  スポーツ用マーカー
２Ａ，２Ｂ  円形表面
３  端面
４  凸条
５  把持用穴
６  溝部
Ｄ  直径
Ｇ  芝
ｔｍｉｎ  最小肉厚
ｔｍａｘ  最大肉厚
【図１】
0003176763.tif 000003
【図２】
0003176763.tif 000004
【図３】
0003176763.tif 000005
【図４】
0003176763.tif 000006
【図５】
0003176763.tif 000007